(57)【要約】【課題】熱源から観察面へ熱が伝わる時間を短縮可能な反射装置を提供する。【解決手段】反射部２と発熱部３２とを備える反射装置１を提供する。反射部２はミラー２１を含む。ミラー２１は表面２１ｆおよび裏面２１ｂを有し、表面２１ｆから入射した光を反射し、反射光を表面２１ｆから出射させる。発熱部３２は透過部３に含まれる。透過部３は反射部２の表面２１ｆ側に配置され、反射部２側の裏面３ｂと反対側の表面３ｆとを有する。この表面３ｆが観察者に観察される観察面となり、熱源から観察面へ熱が伝わる時間は、熱源が裏面２１ｂ側に配置される場合よりも短縮される。【選択図】図２
2010269683.tif 000002
【特許請求の範囲】
【請求項１】
表面を有し、前記表面から入射した光を反射し、反射光を前記表面から出射させる反射部と、
前記反射部の前記表面側に配置された発熱部と、
を備える反射装置。
【請求項２】
前記表面に沿って前記発熱部を囲む発光部を備える、
ことを特徴とする請求項１に記載の反射装置。
【請求項３】
複数の層を重ねて形成され、
前記発光部は、電極を有する発光素子を有し、前記複数の層に含まれる一つの層の一部を前記電極として含み、
前記発熱部は、電気エネルギーを用いて発熱する抵抗体を有し、前記一つの層の他の一部を前記抵抗体として含む、
ことを特徴とする請求項２に記載の反射装置。
【請求項４】
前記発光部は、前記表面からの反射光を透過させる、
ことを特徴とする請求項３に記載の反射装置。
【請求項５】
前記発熱部は、前記表面からの反射光を透過させる、
ことを特徴とする請求項１乃至４のいずれか一項に記載の反射装置。
【発明の詳細な説明】
【技術分野】
【０００１】
本発明は、光を反射する反射装置に関する。
【背景技術】
【０００２】
特許文献１には、発熱体を備えた反射装置（ミラー装置）が開示されている。この反射装置は、例えば車両のドアミラーとして使用されるものであり、ミラー本体と、ミラー本体の裏面側に配置された発熱体とを備え、発熱体を発熱させることにより、ミラー本体の観察面（表面）に付着した氷雪を融かすことができる。
【先行技術文献】
【特許文献】
【０００３】
【特許文献１】特開平８−４０２１７号公報（図２）
【発明の概要】
【発明が解決しようとする課題】
【０００４】
しかし、上記の反射装置では、発熱体がミラー本体の裏面側に配置されるから、発熱体からの熱が観察面に伝わるまでに時間がかかる。したがって、例えば、電源投入直後から効果が現れるまでに長い時間がかかってしまう。
そこで、本発明は、熱源から観察面へ熱が伝わる時間を短縮可能な反射装置を提供することを解決課題とする。
【課題を解決するための手段】
【０００５】
この課題を解決するために、本発明は、表面を有し、前記表面から入射した光を反射し、反射光を前記表面から出射させる反射部と、前記反射部の前記表面側に配置された発熱部とを備える反射装置を提供する。反射部としてはミラーを含むものを例示可能である。この場合、ミラーの表面（鏡面）が反射部の表面となる。この反射装置は、車両のドアミラー等の後写鏡として使用可能であり、その場合、車両の運転者が観察者となり、発熱部の反射部とは反対側の面が観察面となる。したがって、この反射装置によれば、熱源が反射部の裏面側に配置される場合に比較して、熱源から観察面へ熱が伝わる時間を短縮することができる。
【０００６】
この反射装置において、前記表面に沿って前記発熱部を囲む発光部を備える、ようにしてもよい。この形態の反射装置によれば、発光部の発光によって観察者に情報を通知することができる。具体的な用途としては、この形態の反射装置を車両のドアミラーとして使用し、後方の車両との距離が予め定められた距離よりも短い場合に発光部を点滅させることにより、観察者（運転者）に注意を促す用途を例示可能である。
【０００７】
この形態の反射装置において、前記発光部は、電極を有する発光素子を有し、前記複数の層に含まれる一つの層の一部を前記電極として含み、前記発熱部は、電気エネルギーを用いて発熱する抵抗体を有し、前記一つの層の他の一部を前記抵抗体として含む、ようにしてもよい。この形態の反射装置によれば、一つの層を形成することにより、抵抗体と発光素子の電極とを一斉に形成することができる。これは、製造工程の簡素化において有利な特徴である。
【０００８】
この形態の反射装置において、前記発光部は、前記表面からの反射光を透過させる、ようにしてもよい。この形態の反射装置によれば、観察者と反射部の表面との間に発光部が存在することによる視認性の低下を抑制することができる。また、上記の各反射装置において、前記発熱部は、前記表面からの反射光を透過させる、ようにしてもよい。この形態の反射装置によれば、観察者と反射部の表面との間に発熱部が存在することによる視認性の低下を抑制することができる。
【図面の簡単な説明】
【０００９】
【図１】本発明の一実施形態に係る反射装置１の外観を示す正面図である。
【図２】反射装置１の外観を示す側面図である。
【図３】反射装置１の透過部３の構成を示す正面図である。
【図４】図３のＡ−Ａ線断面図である。
【図５】図３のＢ−Ｂ線断面図である。
【図６】図３のＣ−Ｃ線断面図である。
【発明を実施するための形態】
【００１０】
図面を参照しながら本発明の一実施形態を説明する。ただし、各図面においては、各部の寸法の比率が実際のものとは適宜に相違している。また、本発明は、以下に述べる一実施形態に限定されるものではなく、これを変形して得られる各種の変形例や、これらを応用して得られる応用例をも技術的範囲に含みうる。なお、各図において共通する部分には同一の符号が付されている。
【００１１】
図１は本発明の一実施形態に係る反射装置１の外観を示す正面図であり、図２は反射装置１の外観を示す側面図である。ただし、図２では、反射装置１は分解して示されている。これらの図に示すように、反射装置１は、自動車（車両）のドアに取り付けられるドアミラーであり、光を反射する反射部２と、光を透過させる透過部３とを備える。図２に示すように、反射部２は、一般的なドアミラーと同様に、表面（鏡面）２１ｆ及び裏面２１ｂを有するミラー２１と、ミラー２１を支持する支持体２２とを備える。
【００１２】
ミラー２１は、表面２１ｆから入射した光を反射し、反射光を表面２１ｆから出射させる。透過部３は、表面２１ｆを覆うようにミラー２１に固定されており、表面２１ｆに接している。支持体２２には、ミラー２１及び透過部３を収納するための凹部が設けられており、この凹部内に、ミラー２１及び透過部３が収納される。透過部３は、表面３ｆおよび裏面３ｂを有する。裏面３ｂは、ミラー２１の表面２１ｆと接しており、自動車の運転者は、透過部３の表面３ｆを観察することにより、当該自動車後方の状況を知ることができる。つまり、表面３ｆは、運転者に観察される観察面として機能する。
【００１３】
図３は、透過部３の構成を示す正面図である。透過部３は、電気エネルギーを用いて発光する発光部３１と、電気エネルギーを用いて発熱する発熱部３２と、発光部３１へ電気エネルギーを供給するための第１端子３３及び第２端子３４と、発熱部３２へ電気エネルギーを供給するための第３端子３５及び第４端子３６とを備える。また、透過部３は、表面２１ｆに沿う外周３７を有する。
【００１４】
発光部３１は、第１端子３３と第２端子３４とを結ぶように表面２１ｆに沿って延在しており、発熱部３２は、第３端子３５と第４端子３６とを結ぶように表面２１ｆに沿って延在しており、外周３７よりも長く、折り畳まれて透過部３の中央部に配置されている。発光部３１は、外周３７に沿って発熱部３２を囲むように透過部３の周縁部に配置されている。なお、透過部３において、中央部は周縁部に囲まれている。
【００１５】
図４は図３のＡ−Ａ線断面図、図５は図３のＢ−Ｂ線断面図、図６は図３のＣ−Ｃ線断面図である。ただし、理解を助けるために、これらの図には、ミラー２１も示されている。これらの図に示すように、透過部３は、発光基板３０１と、発光基板３０１上に形成された複数の層と、これらの層を発光基板３０１との間に挟む封止基板３０２と、発光基板３０１と封止基板３０２との間隔を保つシール部３０３とを備える。発光基板３０１及び封止基板３０２は、ガラス等の透明材料で形成されており、封止基板３０２の発光基板３０１とは反対側の面が表面３ｆ、発光基板３０１の封止基板３０２とは反対側の面が裏面３ｂとなっている。シール部３０３は、例えば樹脂で形成されており、図３において発光部３１及び発熱部３２を囲むように配置されている。
【００１６】
図４〜図６に示すように、発光基板３０１上には、ＩＴＯ（Indium Tin Oxide）やＩＺＯ（Indium Zinc Oxide）等の透明な導電材料で配線層３０４が形成され、その上には、第１絶縁層３０５が形成されている。配線層３０４は、第１〜第４の配線層３０４に分離しており、図４には第１及び第２の配線層３０４が、図５には第３及び第４の配線層３０４が示されている。以降の説明では、配線層３０４の第１絶縁層３０５に覆われていない部分を「露出部分」と呼ぶ。なお、図５に示すように、透過部３のうち、シール部３０３の内側の二つの露出部分の一方から他方までの区間に重なる部分が発熱部３２である。
【００１７】
図４に示すように、第１の配線層３０４の露出部分のうち、シール部３０３の外側の露出部分は、第１端子３３として機能し、第２の配線層３０４の露出部分のうち、シール部３０３の外側の露出部分は、第２端子３４として機能する。また、図５に示すように、第３の配線層３０４の露出部分のうち、シール部３０３の外側の露出部分は、第３端子３５として機能し、第４の配線層３０４の露出部分のうち、シール部３０３の外側の露出部分は、第４端子３６として機能する。
【００１８】
図４〜図６に示すように、第１絶縁層３０５上には、シール部３０３の内側に、ＩＴＯやＩＺＯ等の透明な導電材料で第１電極層３０６が形成されている。第１電極層３０６は、第１〜第３の第１電極層３０６に分離しており、図４には第１及び第２の第１電極層３０６が、図５には第３の第１電極層３０６が、図６には第１の第１電極層３０６が示されている。図４に示すように、第１の第１電極層３０６は、第１端子３３を含む第１の配線層３０４の露出部分と接しており、第２の第１電極層３０６は、第２端子３４を含む第２の配線層３０４の露出部分と接している。また、図５に示すように、第３の第１電極層３０６は、第３端子３５を含む第３の配線層３０４の露出部分、及び第４端子３６を含む第４の配線層３０４の露出部分と接している。つまり、第３端子３５と第４端子３６とは互いに電気的に接続されている。
【００１９】
図４〜図６に示すように、第１電極層３０６上には、第２絶縁層３０７が形成されている。以降の説明では、第１電極層３０６の第２絶縁層３０７に覆われていない部分を「第１電極」と呼ぶ。第１電極層３０６のうち、第１電極を含むものは、図４及び図６に示す第１の第１電極層３０６と、図４に示す第２の第１電極層３０６である。第２絶縁層３０７上には、発光機能層３０８が形成されている。発光機能層３０８は、有機ＥＬ材料で形成された発光層を含む層であり、第１の第１電極層３０６上に、その第１電極を覆うように配置される。透過部３のうち、発光機能層３０８と重なる第１電極に重なる部分が発光部３１であり、発光部３１の第１電極と第１端子３３とは互いに電気的に接続されている。
【００２０】
図４及び図６に示すように、発光機能層３０８上には、透明な導電材料で第２電極層３０９が形成されている。第２電極層３０９は、総ての第１電極を覆って延在しており、図４に示すように、第２の第１電極層３０６の第１電極に接している。つまり、第２電極層３０９の第１電極と重なる部分を「第２電極」としたとき、発光部３１の第２電極と第２端子３４とは互いに電気的に接続されている。
【００２１】
なお、第２電極層３０９が発熱部３２の第２絶縁層３０７を覆う構造としてもよいが、本実施形態では、図５に示すように、発熱部３２の第２絶縁層３０７を覆わない構造としてある。また、第２電極層３０９上には、第２電極層３０９を覆う保護層（パッシベーション層）３１０が樹脂等の透明な材料で形成されている。なお、保護層３１０が第２絶縁層３０７の一部を覆うか全部を覆うかは任意であるが、本実施形態では、保護層３１０が第２絶縁層３０７の一部を覆っている。
【００２２】
以上の説明から明らかなように、発光部３１は、供給された電気エネルギーを用いて発光する発光素子として、第１端子３３と電気的に接続された第１電極と、第２端子３４と電気的に接続された第２電極と、両電極間に挟まれた発光層とを有する有機ＥＬ素子を含む。有機ＥＬ素子の発光層は電流に応じた輝度で発光するから、第１端子３３と第２端子３４との間の電流を制御することにより、発光部３１の輝度を制御すること（例えば発光部３１を点滅させること）が可能となる。つまり、本実施形態によれば、発光部３１の発光を制御することにより、観察者に情報を通知することができる。このような情報通知の一例としては、後方の車両との距離が予め定められた距離よりも短い場合に発光部３１を点滅させることが挙げられる。
【００２３】
また、以上の説明から明らかなように、発熱部３２は、電気エネルギーを用いて発熱する抵抗体（抵抗配線）として、第３端子３５と第４端子３６とを電気的に接続する第１電極層３０６（第３の第１電極層３０６）を含む。この第１電極層３０６は、電流に応じて発熱するから、第３端子３５と第４端子３６との間の電流を制御することにより、発熱部３２の発熱量を制御することが可能となる。これにより、例えば、観察面（表面３ｆ）の結露状態や凍結状態を解消することができる。
【００２４】
しかも、本実施形態では、熱源となる発熱部３２が反射部２のミラー２１の表面２１ｆ側に配置されるから、熱源がミラー２１の裏面２１ｂ側に配置される形態に比較して、熱源から観察面（表面３ｆ）へ熱が伝わる時間が短くなり、観察面の結露状態や凍結状態をより早く解消することができる。
【００２５】
また、以上の説明から明らかなように、発光部３１は、発光素子の第１電極として第１電極層３０６の一部を含み、発熱部３２は、抵抗体として第１電極層３０６の一部を含むから、第１電極層３０６を形成することにより、第１電極と抵抗体とを一斉に形成することができる。これは、製造工程の簡素化において有利な特徴である。
【００２６】
また、以上の説明から明らかなように、発光部３１は、反射部２のミラー２１の表面２１ｆへ向かう光と表面２１ｆからの反射光とを透過させる。したがって、本実施形態によれば、観察者と表面２１ｆとの間に発光部３１が存在することによる視認性の低下を抑制することができる。これと同様に、発熱部３２は、表面２１ｆへ向かう光と表面２１ｆからの反射光とを透過させるから、本実施形態によれば、観察者と表面２１ｆとの間に発熱部３２が存在することによる視認性の低下を抑制することができる。
【００２７】
なお、本実施形態では、反射部２のミラー２１の表面２１ｆに沿って延在する抵抗体は、表面２１ｆの周よりも長く、表面２１ｆに沿って折り畳まれている。したがって、本実施形態によれば、発熱部３２の熱を観察面（表面３ｆ）の全域に早く伝えることができる。もちろん、この効果が不要であれば、抵抗体の長さを表面２１ｆの周よりも短くしてもよい。
【００２８】
また、本実施形態では、発光素子として有機ＥＬ素子を採用したが、これに限るものではない。また、本実施形態では、発光素子等の回路要素を保護するための封止として、いわゆる缶封止を採用したが、これを変形し、膜封止を採用した形態としてもよい。また、本実施形態を変形し、ドアミラー以外の反射装置としてもよい。
【符号の説明】
【００２９】
１……反射装置、２……反射部、２１……ミラー、２１ｂ，３ｂ……裏面、２１ｆ，３ｆ……表面、３……透過部、３０６……第１電極層、３１……発光部、３２……発熱部、３３……第１端子、３４……第２端子、３５……第３端子、３６……第４端子。
【図１】
2010269683.tif 000003
【図２】
2010269683.tif 000004
【図３】
2010269683.tif 000005
【図４】
2010269683.tif 000006
【図５】
2010269683.tif 000007
【図６】
2010269683.tif 000008